(57)【要約】【課題】  回転扉の開口部を広くし人の流れを円滑にし挟み込み事故を防ぐ。【解決手段】  扉を三枚Ｙの字型に組み合わせ扉の先端に円弧状の袖扉を附加した回転扉とする。袖扉を備えた三枚扉の回転扉とすることで固定壁の開口部を広くできる。三枚扉とすることで円弧状の袖扉の幅を狭くする事が出来る。円弧状の袖扉を狭くする事で人の通行の妨げに成る領域を少なくする事が出来る。袖扉の一定幅を軽くスライド出来る逃がし袖扉とし固定壁の間での挟み事故を防止する。上記スライド幅は扉の停止距離よりも広くし定位置には定位置センサーを設ける。上記スライド部は定位置を外れる事で扉の回転を停止させ挟み込み事故を防止する。扉の床面近くに複数の転倒等の検知センサーを設け扉の回転を減速させ停止させる。【選択図】  図１
2005320762.tif 000002
【特許請求の範囲】
【請求項１】
円滑な人の流れとするために固定壁（３）の開口部を広くしまた開口部を締め切り人の流れを止めることを無くするために三枚の扉をＹの字型に配置し扉の先端部に袖扉（２）を備えた回転扉（１）としたもので幅の狭い袖扉（２）を備えることで固定壁（３）の開口部を広くし袖扉（２）の幅を狭くすることで人の流れの妨げとなる領域を少なくした袖扉（２）を備えた三枚扉の回転扉
【請求項２】
袖扉（２）と固定壁（３）の間に挟み込み等が起こった場合に袖扉（２）の一定幅を軽くスライドさせて後退させることで力を逃がす逃がし袖扉（６）を設け逃がし袖扉（６）に設けた定位置センサー（８）が外れることで扉の回転を停止させ挟み込み事故の防止を計った請求項１記載の回転扉
【請求項３】
回転扉（１）の回転方向の前面の床面近くに複数の転倒検知センサー（７）を設け転倒等を検知して扉の回転を減速させ停止させることで転倒等による挟み込み事故の防止を計った請求項１記載の回転扉
【発明の詳細な説明】
【技術分野】
【０００１】
本発明の回転扉は三枚の扉をＹの字型に配置し先端部に幅の狭い袖扉を備えた回転扉で固定壁の開口部が広くでき幅の狭い袖扉は固定壁の開口部を閉め切る事がないので常に出入りできて人のながれを止めることが無く円滑に出入りのできる袖扉を備えた三枚扉の回転扉に関する。
【背景技術】
【０００２】
従来の比較的小型の回転扉として四枚の扉を十文字型に組み合わせた回転扉があり円弧状の固定壁の開口部は中心から望む円弧の角度が９０度と広いが四分割となるため人の入る容積が狭い。
【０００３】
比較的大型の回転扉として三枚の扉をＹの字型に組み合わせただけの回転扉があるが１２０度の固定壁が必要であり開口部は６０度以上には出来ず狭い出入り口で混雑する。
【０００４】
また比較的大型の回転扉として二枚の扉をIの字型に組み合わせて扉の先端に設けた円弧状の袖扉で固定壁の開口部を塞ぐ回転扉があるが固定壁の開口部を広くしようとすれば袖扉の幅が広くなり人の流れの妨げになりまた袖扉で開口部を閉め切る時があり人の流れを止めることとなりまた広い袖扉を支えるには回転扉は頑丈に造る必要があり重量が必然と重くなる。
【特許文献１】特開２００２−７０４３５
【特許文献２】特開２００３−２４７３７５
【発明の開示】
【発明が解決しようとする課題】
【０００５】
円弧状の固定壁の開口部を広くして人の出入りを円滑にする。
【０００６】
円弧状の固定壁の開口部を閉め切る期間を無くして人の流れを止めず円滑にする。
【０００７】
円弧状の袖扉の幅を狭くして人の流れの妨げとなる領域を少なくする。
【０００８】
人の入る容積を広くする。
【０００９】
回転扉自体の重量を軽減する。
【００１０】
回転扉と固定壁の間の挟み込み事故の確実な防止手段。
【００１１】
転倒などによる扉と床の間の挟み込み事故の確実な防止手段。
【課題を解決するための手段】
【００１２】
固定壁の開口部を袖扉だけで閉め切る事を止め固定壁の間をＹの字型に１２０度の角度で組み合わせた三枚の扉と幅の狭い袖扉で閉め切る事とする。
【００１３】
固定壁の開口部を中心から望む円弧の角度を９０度と広くしても扉の先端に設けた袖扉の円弧の角度は３０度と幅の狭い袖扉で固定壁の間を閉め切ることが出来る。
【００１４】
円弧状の袖扉は円弧の角度３０度と狭くする事が出来るために袖扉が固定壁の開口部を閉め切る事はなく幅の狭い袖扉は人の通行の妨げに成る領域を少なくする事が出来また軽量化が図れる。
【００１５】
袖扉の一定幅を軽くスライド出来るようにした逃がし袖扉を設けて逃がし袖扉と固定壁の間で挟み込みが起こった場合スライドさせて後退させ過剰な力を逃がすことで事故を防止する。
【００１６】
上記スライド幅は扉の停止距離よりも広くし逃がし袖扉の定位置には定位置センサーを設け定位置を外れる事で扉の回転を停止させる。
【００１７】
回転扉の前面の床面近くに複数の転倒等の検知センサーを設け扉を減速させ停止させることで扉と床の間の挟み込み事故を防止する。
【発明の効果】
【００１８】
三枚の扉をＹの字型に組み合わせて先端に幅の狭い袖扉を設けることで固定壁の開口部を広くでき開口部を袖扉が閉め切る事が無いので人の流れを止めることが無く円滑な流れとする事が出来る。
【００１９】
幅の狭い袖扉は固定壁の開口部を閉め切る事がないので常に侵入可能であり閉まりかけた扉に無理をして侵入する必要はなく直ぐ近くにある次の扉に侵入できる。
【００２０】
袖扉の一定幅を軽くスライド出来るようにする事で袖扉と固定壁の間に挟みが起こった場合に後退させて力を逃がすことにより挟み込み事故を防止出来る。
【００２１】
扉の床面近くに複数の光センサー等による転倒等の検知センサーを設け転倒等を検知して扉を減速させ停止させることで扉と床の間の挟み事故を防止出来る。
【００２２】
従来の袖扉２を備えた二枚扉の回転扉と比べて比較的幅の狭い袖扉２でよいため扉の枚数は増えるが強固にする必要はなく回転扉全体としては軽量に造る事が出来また狭い袖扉２は人の流れの妨げとなる領域は少なく人の流れを円滑に出来る利点がある。
【００２３】
従来の三枚扉の回転扉と比べて袖扉３を備えた三枚扉の回転扉とする事で固定壁３の開口部を広くできる利点がある。
【００２４】
従来の四分割の四枚扉の回転扉と比べて扉の枚数が減るため重量には大差はないが三分割となるために人のはいる容積を広くできる利点がある。
【発明を実施するための最良の形態】
【００２５】
人の流れを円滑にするには固定壁３の開口部を広くし人の流れを止めることを無くし常に出入り出来また人の入る容積が広いことが必要であり袖扉２を備え三枚の扉をＹの字型に組み合わせた三枚扉の回転扉とすることで実現できる。
【００２６】
また固定壁３と袖扉２の間及び回転扉１と床の間の挟み込み事故を確実に防止出来る手段が必要である。
【実施例１】
【００２７】
本発明の回転扉の説明に先立ち従来の回転扉の説明をする。
図２は従来の比較的大型の回転扉であり二枚の扉１がIの字型に１８０度の角度で組み合わされ円弧状の固定壁３の開口部を閉め切る袖扉２を備えている。
【００２８】
また固定壁３の開口部を広くするには開口部を塞ぐ幅の広い袖扉２が必要であり補強材と共に取り付けられ扉自体も強固に造られる必要があり回転扉の重量の増大を招く。
【００２９】
図２の状態では固定壁３の開口部は袖扉２により閉ざされた状態となりひとの流れを止めてしまいまた幅の広い袖扉２は人の流れの妨げとなる。
【００３０】
本発明の回転扉につき図１を参照に詳細にの説明する。
図１は本発明の回転扉であり円弧状の固定壁３の内側に三枚の扉１がＹの字型に１２０度の角度で組み合わされ扉１の先端部にはそれぞれ幅の狭い袖扉２が取り付けられている。
【００３１】
図１で固定壁３の開口部を中心から望む角度を９０度と広くしても袖扉２の円弧の角度は３０度と幅の狭いものとすることが出来る。
【００３２】
幅の狭い袖扉２とすることで固定壁３の開口部は閉ざされる事はなく人の流れを止めることもなく幅の狭い袖扉２は人の流れを妨げることも少ない。
【００３３】
幅の狭い袖扉２とすることで軽量に出来き袖扉２を取り付ける扉自体もそれ程強固に造る必要が無く回転扉全体としては軽量化が計れる。
【００３４】
袖扉２の円弧の角度を３０度よりも広くすることで固定壁３の開口部を９０度よりも広くすることも出来るが袖扉２間の開口部は９０度より狭くなる。
【００３５】
袖扉２の円弧の角度を３０度よりも狭くすれば袖扉２の間の開口部を９０度よりも広くすることが出来るが固定壁３の開口部を９０度よりも狭くする必要がある。
【００３６】
回転扉には重量があり大きな慣性力が働きセンサーで検知しても直ぐには停止出来ず或る程度の停止距離は避けられない。
【００３７】
扉が閉まる間際に飛び込みなどがあった場合に停止動作が間に合わず挟まれることになりこの場合力を逃がし人に過剰な力が加わらないようにする必要がある。
【００３８】
図１の逃がし袖扉６は袖扉２の一定幅を軽くスライド出来るようにしたもので袖扉１と固定壁の間の挟み込み事故を防止する為の物であり挟み込みが起こった場合スライドさせ後退させて力を逃がす事により挟み込み事故を防止するものである。
【００３９】
逃がし袖扉６の逃がし幅は扉の停止距離よりも広くとられ定位置を検知する定位置検知センサー８が設けられ定位置を外れることで扉の回転は停止される。
【００４０】
定位置では逃がし袖扉６はマグネットキャッチ等により軽く保持されている。
【００４１】
逃がし部は袖扉２と固定壁３の間に挟み込みが起こった場合にどちらかがスライドして逃げればよく固定壁１の側を一定幅スライドさせて逃がすようにしても良い。
【００４２】
図１の転倒等検知センサー８は転倒などによる事故を防止するためのもので扉の前面の床面近くに設けられた減速用と停止用及び緊急停止用からなる複数の投光器及び受光器を備えた光センサー等による検知器であり転倒などを検知して扉の回転を減速させ停止させることで事故を防止出来る。
【００４３】
減速用が働くことで扉の回転を多段階に減速し停止用が働くことで回転を停止させるものであり緊急停止用はセンサー等の故障に備えたもので通常は働くことはない。
【産業上の利用可能性】
【００４４】
比較的小型の四枚扉の回転扉においても袖扉２を備えた三枚扉の回転扉とすることで人の入る容積を広くする事が出来また軽量化が図られ袖扉２をスライドさせることで挟み込みの力を逃がすことが出来また転倒検知センサーでブレーキをかける様にすることも出来る。
【図面の簡単な説明】
【００４５】
【図１】本発明の袖扉を備えた三枚の扉の回転扉の平面図
【図２】従来の袖扉を備えた二枚の扉の回転扉の平面図
【符号の説明】
【００４６】
１          回転扉
２          袖扉
３          固定壁
４          回転方向
５    回転軸
６        逃がし袖扉
７    定位置センサー
８    転倒等検知センサー
【図１】
2005320762.tif 000003
【図２】
2005320762.tif 000004